(57)【要約】  不燃性であるため、引火の危険性や火災時のリスクが低く、消防法上の非危険物に該当し、危険物倉庫が不要で、大量使用する洗浄剤組成物の保管量に法的な制限がなく、さらに、毒性が低く、オゾン層破壊などの環境負荷が小さいという特性と、従来のブレーキクリーナー用洗浄剤組成物と同等の洗浄性、乾燥性を有しつつも、ゴムや樹脂に対するアタック性が極めて低い、新たな洗浄剤組成物及びそのエアゾール組成物を提供するため、（Ｚ）−１−クロロ−３，３，３−トリフルオロプロペン、１，１−ジクロロ−３，３，３−トリフルオロプロペン、ＡＭＯＬＥＡ（登録商標）  ＡＳ−３００などのＨＦＯ系の不燃性フッ素系溶剤と、フロリナートTMＦＣ−４０、およびフロリナートTMＦＣ−３２８３などのＰＦＣ系の不燃性フッ素系溶剤とを含有してなる洗浄剤組成物およびそのエアゾール組成物とする。【特許請求の範囲】
【請求項１】
ＨＦＯ系の不燃性フッ素系溶剤とＰＦＣ系の不燃性フッ素系溶剤とを含有してなることを特徴とする自動車、二輪自動車、自転車、建機、農機、航空機、鉄道車両、船舶などの各種車両・乗物・輸送機関、工具、作業場、ピット、工場の洗浄用洗浄剤組成物。
【請求項２】
洗浄剤組成物が、自動車、二輪自動車、自転車、建機、農機、航空機、鉄道車両、船舶などの各種車両・乗物・輸送機関のブレーキクリーナー用であることを特徴とする、請求項１に記載の洗浄剤組成物。
【請求項３】
ＨＦＯ系の不燃性フッ素系溶剤とＰＦＣ系の不燃性フッ素系溶剤との質量比（ＨＦＯ系の不燃性フッ素系溶剤／ＰＦＣ系の不燃性フッ素系溶剤）の範囲が９９／１０〜１／９９であることを特徴とする、請求項１または２に記載の洗浄剤組成物。
【請求項４】
ＨＦＯ系の不燃性フッ素系溶剤が、（Ｚ）−１−クロロ−３，３，３−トリフルオロプロペン、１，１−ジクロロ−３，３，３−トリフルオロプロペン、１，２−ジクロロ−３，３，３−トリフルオロプロペン、および２，３，３−トリクロロ−３−フルオロプロペン、ＡＭＯＬＥＡ（登録商標）  ＡＳ−３００から選択される１つまたはそれ以上であることを特徴とする、請求項１〜請求項３の何れか１項に記載の洗浄剤組成物。
【請求項５】
ＰＦＣ系の不燃性フッ素系溶剤が、フロリナートTMＦＣ−４０、およびフロリナートTMＦＣ−３２８３から選択される１つまたはそれ以上であることを特徴とする、請求項１〜請求項３の何れか１項に記載の洗浄剤組成物。
【請求項６】
請求項１〜請求項５の何れか１項に記載の洗浄剤組成物と噴射ガスとを含有するエアゾール組成物。
【請求項７】
噴射ガスが、Ｎ２、ＣＯ２、（Ｅ）−１，３，３，３−テトラフルオロプロパ−１−エン、アルゴン、ＬＰＧ、ＤＭＥまたは圧縮空気であることを特徴とする、請求項６に記載のエアゾール組成物。
【請求項８】
噴射ガスが、Ｎ２であることを特徴とする、請求項７に記載のエアゾール組成物。
【発明の詳細な説明】
【技術分野】
【０００１】
この発明は、自動車、二輪自動車、自転車、建機、農機、航空機、鉄道車両、船舶などの各種車両・乗物・輸送機関の洗浄や工具、作業場、ピット、工場の洗浄に用いるための新たな洗浄剤組成物及びそのエアゾール組成物に関し、特に、各種車両・乗物・輸送機関における金属や金属と樹脂との組合せからなるボディ、ブレーキ部品、サスペンション、ホイールなどの各種の車両用部品や制御装置などを脱脂し洗浄するためのものであって、不燃性で、引火の危険性や火災のリスクが低く消防法上の非危険物に該当することから危険物倉庫が不要のため、大量使用する洗浄剤組成物の保管量に法的な制限がなく、さらに、毒性が低く、かつ、オゾン層破壊などの環境負荷が小さいという優れた特性を有し、さらには、従来の洗浄剤組成物と同等以上の洗浄性、乾燥性、汚れの再付着防止性を有しつつも、従来の洗浄剤組成物よりもゴムや樹脂に対するアタック性が極めて低いという優れた特性を併せ持つ、洗浄剤組成物及びそのエアゾール組成物に関する。
【背景技術】
【０００２】
自動車、二輪自動車、自転車、建機、農機、航空機、鉄道車両、船舶などの各種車両・乗物・輸送機関は、ボディ、ブレーキ、サスペンション、ホイールなどの各種部品や装置などが、金属や各種の樹脂などを用いて製造されている。また、近年、軽量化や装飾性を高めることを意図して、金属に樹脂を組み合わせた複合材料なども用いた部材も使用されている。【０００３】
これらの金属を用いた部品や装置は、使用する間に油分や汚れなどがその表面に付着し、所期の性能や装飾性が低下してくる。また、付着した成分によっては金属表面が腐食し、所期の性能が不可逆的に損なわれてしまう。さらに、車両・乗物・輸送機関には、各装置の動きをスムーズにするよう、グリスなどの油分が必要部位に塗布されるが、それら油分は、走行時に空気の流れや雨水が吹き付けられるなどすることにより徐々に油分が意図しない部位に流れ出るなどし、また他の車両・乗物・輸送機関から流れ出た油分などが汚れと共に路面から巻き上げられるなどして、車両・乗物・輸送機関の各部に付着し、各種の部品や装置における所期の性能を低下させる要因となる。特に、車両・乗物・輸送機関において多く用いられるブレーキライニングを施したブレーキシューをブレーキディスクやブレーキドラム等の回転体に制動子として作用させる摩擦ブレーキ装置においては、油分が付着すると摩擦係数が低下し、さらにブレーキライニングが摩耗して生じた粉塵が付着しやすくなって、ブレーキの制動性が低下してしまう要因となるため、定期的にメンテナンス作業を実施し、油分や汚れが付着した金属部材を洗浄する必要が生じている。【０００４】
また、各種車両・乗物・輸送機関の組み立て製造時において、金属に樹脂や塗料などを塗布し加工する際に、金属表面に油分などが僅かに付着したままになっていると、樹脂や塗料が安定して付着せずに剥離したり変質するなどして、製品の品質が大幅に低下してしまう。また、ブレーキ、サスペンション、ホイールなどの運行時の安全性担保のために特に重要な部品や装置においては、油分などが僅かに付着したままでは摩擦係数が低下し、そのまま組み上げてしまうと制動性が損なわれるなどして、所期の性能を安定して発揮させることが出来なくなる。そこで、車両・乗物・輸送機関の組み立て製造時には、各部品の金属表面に僅かに付着した油分を事前に十分に洗浄し取り除くことが求められている。【０００５】
そこで、主に各種車両・乗物・輸送機関のボディ、ブレーキ部品、サスペンション、ホイールなどを洗浄するための洗浄剤組成物として、従来は、洗浄性を有するトリクロロエタンを主成分とするものが開発され利用されていた。しかし、トリクロロエタンには、毒性が知られている。また、トリクロロエタンは、オゾン層の保護のためのウィーン条約の下で発効したオゾン層を破壊する物質に関するモントリオール議定書において、締約国における生産と消費を段階的に削減し１９９６年には全廃するとともに議定書の非締約国との輸出入の禁止又は制限がされることとなった。そのため、トリクロロエタンを用いた洗浄剤組成物の使用は、避けられることとなった。【０００６】
そこで、イソヘキサン、シクロヘキサンなどのＣ６の石油系炭化水素をベースに、エタノール、イソプロピルアルコールなどのアルコール類を添加し、洗浄性、乾燥性、沸点を調整した洗浄剤組成物が製造され、それをＬＰＧガスを用いたエアゾール組成物や移動式簡易エアゾール充填機を使用した圧縮空気によるエアゾール組成物としたものが提案され、広く用いられている。【０００７】
しかしながら、上記の洗浄剤組成物に用いられている石油系炭化水素やアルコール類は、引火性が高く、消防法上の危険物として規制を受ける。そのため、保管には危険物倉庫の設置が必要であり、設置の為のコストがかかるものであった。また、洗浄剤組成物使用施設において危険物倉庫を有していても、保管できる量には制限がある。特に上記洗浄剤組成物は、その多くが第四類第一石油類に分類されるが、法令上１倉庫に保管可能な第四類第一石油類の指定数量は低く設定されていることから、洗浄剤組成物の使用量が多いにもかかわらず、少量しか保管できないという問題があり、その改善が求められていた。【０００８】
さらに、上記洗浄剤組成物に用いられている炭化水素はトリクロロエタンのような毒性はないものの、過剰量を吸入することにより炭化水素中毒となる危険性があるため、屋外や換気装置のある屋内などの換気がされている環境下にて使用する必要があり、製品にもその旨の注意書きがされている。しかし、エアゾール製品を使用するため、作業場だけでなく風下にも気化した炭化水素が流れ、そこにいる人が吸入する危険性は残っており、改善が求められていた。【０００９】
また、作業時に洗浄剤組成物を掛け流したりエアゾール製品を勢いよく噴射させるなどすると、作業者の手袋や衣服に引火性が高い上記洗浄剤組成物が多量に染みこむことがある。また、作業者の手袋、作業着に付着した油汚れを落とすために上記洗浄剤組成物を多量に染みこませることがある。しかし、上記洗浄剤組成物は引火性が高いため、その後の乾燥が不十分であると、静電気やタバコの火による発火事故が生じる危険性が生じる。そこで、作業環境における確実な安全性を確保する上でも、それらの引火性の高い成分の使用を避けるよう、改善が求められていた。【００１０】
引火点を持たない溶剤として一般的に良く知られているものにハロゲン系の溶剤があるが、塩素系、臭素系はその有害性から製造や使用に制限があり、洗浄剤組成物への使用は困難を伴う。そこで、保管量や安全性確保の問題を解決する一案として、炭素数の長い石油系炭化水素を用いた高引火点の製品や洗浄成分として、カルビトール、アルコールなどを含む水系の製品が提案されている（特許文献１を参照）。【００１１】
しかしながら、上述した水系組成物は、乾燥に３０〜４０分もの時間を要するなど、乾燥性が非常に悪く遅い（特許文献１を参照）。そのため、それら水系組成物を洗浄剤組成物として用いると、使用後にブレーキ廻りに水系組成物の液が残留しやすくなり、液が残留したままにブレーキを使用してしまうとブレーキ制動力が下がるといった重大な影響を及ぼすことに繋がる。そのため、上述した水系組成物を用いる作業工程は、洗浄後に十分な乾燥を行うことが必須とされ、煩雑であり、改善が求められていた。またさらに、水系であることから、従来のブレーキクリーナー用洗浄剤組成物に比して洗浄性に劣り、汚れの種類によっては必ずしも十分な洗浄性能を有していないために使用場面に制限があり、より汎用性を高めるものとなるよう、改善が求められていた。【００１２】
ところで、金属材料の洗浄に利用し得る溶剤としては、（Ｚ）−１−クロロ−３，３，３−トリフルオロプロペンのようなハイドロフルオロオレフィン系の溶剤であるＨＦＯ系の不燃性フッ素系溶剤が知られている。しかしながら、このＨＦＯ系の不燃性フッ素系溶剤は、金属材料に対する洗浄性を有するものの、金属材料以外の素材である樹脂やエラストマーに対して、強い浸食性を有していることが知られている（非特許文献１）。そのため、このようなＨＦＯ系の不燃性フッ素系溶剤は、それを使用する場面を十分に精査する必要がある。【００１３】
特に、自動車、二輪自動車、自転車、建機、農機、航空機、鉄道車両、船舶などの各種車両・乗物・輸送機関における各種制動装置、ライト、窓などの、安全性を高く保つことが求められる重要部品には、金属材料が汎用されているが、それら金属材料に加えて、通常は、ポリカーボネート、アクリル、ＡＢＳ、ポリスチレン、シリコーンゴム、天然ゴム、ＨＮＢＲ、ＮＢＲ、フッ素ゴムおよびウレタンゴムなどの各種の樹脂やエラストマーからなる素材も、同時に使用されている。例えば、ブレーキは、ブレーキフルードの油圧により制御し、そのブレーキフルードは、一般的に装置間を連結するゴムホース内に満たされている。【００１４】
しかし、上記のＨＦＯ系の不燃性フッ素系溶剤が樹脂やエラストマーに触れてしまうと、上記のＨＦＯ系の不燃性フッ素系溶剤が有する強い浸食性により、安全性を高く保つことが求められる重要部品における樹脂やエラストマーが変質するなどの重大な不具合が生じる。特に、上記車両・乗物・輸送機関における重要部品においても汎用されるポリカーボネートは失透し、アクリル、ＡＢＳ及びポリスチレンは溶解し、シリコーンゴム、天然ゴム、ＨＮＢＲ、ＮＢＲ、フッ素ゴム及びウレタンゴムは膨潤してしまうため（非特許文献１）、安全性低下が懸念されることとなる。【００１５】
また、洗浄用組成物として用いる場合には、洗浄しようとする箇所を洗浄用組成物で十分に湿潤させて洗い流すことを要するが、上記のＨＦＯ系の不燃性フッ素系溶剤は低沸点であるため乾燥性が非常に高く、湿潤させて洗い流す工程には適していない。湿潤させるようにすると過剰な量のＨＦＯ系の不燃性フッ素系溶剤により、重要部品における樹脂やエラストマーに触れることにより安全性低下が懸念される。【００１６】
また、ＰＦＣ（パーフルオロカーボン）系の不燃性フッ素系溶剤としては、フロリナートTMＦＣ−４０やフロリナートTMＦＣ−３２８３などがあるが、水や油に対する相溶性はほとんどない（非特許文献２）。また、これらＰＦＣ系の不燃性フッ素系溶剤は、機器等における摩擦を軽減させるためのフッ素系コーティング剤、潤滑剤の希釈溶媒に利用される（非特許文献３）が、自動車、二輪自動車、建機、農機、航空機、鉄道車両、鉄道車両などの各種車両におけるブレーキ関連部品などにおいて、それら摩擦を軽減する成分が塗布・コーティングされる状況を作ることで、摩擦係数を低下させて制動力を大きく低下させるようなことは行われない。【００１７】
【特許文献１】特開２００１−２０７１９９号公報
【非特許文献１】１２３３Ｚ  優れた環境性能、高い洗浄力  次世代フッ素系溶剤  セントラル硝子株式会社  カタログ発行年月  ２０１５年１０月
【非特許文献２】６−３８０−０１  フロリナート  ＦＣ−４０  １．５Ｋｇ、インターネット＜URL：https://axel.as-1.co.jp/asone/d/6-380-01/?print=true&pdf=true＞
【非特許文献３】溶剤・分散媒用途、インターネット＜URL：http://www.mmm.co.jp/emsd/fluorine/solution/solvent.html#dtl-01＞
【発明の概要】
【発明が解決しようとする課題】
【００１８】
本発明が解決しようとする課題は、不燃性であるため、引火の危険性が低く、火災時のリスクが低く、消防法上の非危険物に該当し、危険物倉庫が不要で、大量使用する洗浄剤組成物の保管量に法的な制限がなく、さらに、毒性が低く、オゾン層破壊などの環境負荷が小さいという特性を有し、さらに、従来の洗浄剤組成物と同等の洗浄性、乾燥性を有しつつも、従来の洗浄剤組成物よりもゴムや樹脂に対するアタック性が極めて低い、新たな洗浄剤組成物及びそのエアゾール組成物を提供することである。【００１９】
洗浄剤組成物は、汚れ成分を湿潤させて洗い落とす作業に用いられることから、その使用量および保管量が多くなる。そのため、通常の使用環境及び保管環境の温度条件下において引火点を有さず、かつ燃焼範囲のない溶剤を選定することで、引火による火災のリスクを大きく低減させることが要請されている。【００２０】
また、洗浄においては、洗浄剤組成物で汚れ成分を湿潤させて洗い落とすことが要求される。そこで、洗浄用組成物を、塗布や浸漬させて使用する溶液として提供するだけではなく、洗浄剤組成物と噴射ガスとを含有するエアゾール組成物としても提供できるものとし、洗浄時の扱いを簡便にするとともに、気体圧力を利用して汚れを物理的に除去しやすくする必要がある。なお、エアゾール組成物として提供する場合には、作業者が吸引するリスクが高まるため、洗浄剤組成物には、より毒性の低い溶剤を選定することが要請されている。【００２１】
そして、高引火点の製品や水系の製品では達成していない従来製品と同等もしくはそれ以上の洗浄性を有し、適度な乾燥性が実現されることが要請されている。
【課題を解決するための手段】
【００２２】
本願の発明者は、上記課題を解決する新たな洗浄剤組成物及びそのエアゾール組成物を提供するため、様々な化合物や組成物が有する物性を確認し、その洗浄性を調査する作業を進めていた。その中で、強い浸食性により、安全性を高く保つことが求められる自動車、二輪自動車、自転車、建機、農機、航空機、鉄道車両、船舶などの各種車両・乗物・輸送機関などの重要部品や、作業者が用いる工具、作業場、ピット、工場などにおいて用いられる樹脂やエラストマーが、変質、失透、溶解するなどの重大な不具合が生じることが知られたＨＦＯ系の不燃性フッ素系溶剤に、油脂類との高い相溶性を有しないＰＦＣ系の不燃性フッ素系溶剤を加えた組成物としたところ、驚くことに、樹脂やエラストマーが変質、失透、溶解することがなくなり、更には、従来よりも優れた洗浄用組成物としての特性を発揮し、自動車、二輪自動車、自転車、建機、農機、航空機、鉄道車両、船舶などの各種車両・乗物・輸送機関や工具、作業場、ピット、工場の洗浄に用いる新たな洗浄用組成物としての特性を発揮することを見出した。そして、上記のＨＦＯ系の不燃性フッ素系溶剤とＰＦＣ系の不燃性フッ素系溶剤との組合せをさらに詳細に検討することで、本願の新たな洗浄用組成物およびそのエアゾール組成物の発明を完成させた。【００２３】
上記の課題を解決するための本発明の第１の手段は、ＨＦＯ系の不燃性フッ素系溶剤とＰＦＣ系の不燃性フッ素系溶剤とを含有してなることを特徴とする洗浄剤組成物である。【００２４】
上記の課題を解決するための本発明の第２の手段は、上記洗浄剤組成物が、自動車、二輪自動車、自転車、建機、農機、航空機、鉄道車両、船舶などの各種車両・乗物・輸送機関、工具、作業場、ピット、工場の洗浄に用いるためのものであることを特徴とする、本発明の第１の手段に記載の洗浄剤組成物である。【００２５】
上記の課題を解決するための本発明の第３の手段は、上記洗浄剤組成物が、自動車、二輪自動車、自転車、建機、農機、航空機、鉄道車両、船舶などの各種車両・乗物・輸送機関のブレーキクリーナー用であることを特徴とする、本発明の第２の手段に記載の洗浄剤組成物である。【００２６】
上記の課題を解決するための本発明の第４の手段は、上記ＨＦＯ系の不燃性フッ素系溶剤が、（Ｚ）−１−クロロ−３，３，３−トリフルオロプロペン、１，１−ジクロロ−３，３，３−トリフルオロプロペン、および１，２−ジクロロ−３，３，３−トリフルオロプロペン、２，３，３−トリクロロ−３−フルオロプロペン、ＡＭＯＬＥＡ（登録商標）  ＡＳ−３００から選択される１つまたはそれ以上であることを特徴とする、本発明の第１〜第３の何れか１の手段に記載の洗浄剤組成物である。【００２７】
上記の課題を解決するための本発明の第５の手段は、上記ＰＦＣ系の不燃性フッ素系溶剤が、フロリナートTMＦＣ−４０、およびフロリナートTMＦＣ−３２８３から選択される１つまたはそれ以上であることを特徴とする、本発明の第１〜第３の何れか１の手段に記載の洗浄剤組成物である。【００２８】
上記の課題を解決するための本発明の第６の手段は、質量比（ＨＦＯ系の不燃性フッ素系溶剤／ＰＦＣ系の不燃性フッ素系溶剤）の範囲が９９／１〜１／９９であることを特徴とする、本発明の第１〜第５の何れか１の手段に記載の洗浄剤組成物である。【００２９】
上記の課題を解決するための本発明の第７の手段は、本発明の第１〜第６の手段のいずれか１の手段に記載の洗浄剤組成物と噴射ガスとを含有するエアゾール組成物である。【００３０】
上記の課題を解決するための本発明の第８の手段は、上記噴射ガスが、Ｎ２、ＣＯ２、（Ｅ）−１，３，３，３−テトラフルオロプロパ−１−エン、アルゴン、ＬＰＧ、ＤＭＥまたは圧縮空気であることを特徴とする、本発明の第７の手段に記載のエアゾール組成物である。【００３１】
上記の課題を解決するための本発明の第９の手段は、上記噴射ガスが、Ｎ２であることを特徴とする、本発明の第８の手段に記載のエアゾール組成物である。
【発明の効果】
【００３２】
本発明の手段の洗浄剤組成物及びそのエアゾール組成物は、その主要成分として配合されるＨＦＯ系の不燃性フッ素系溶剤とＰＦＣ系の不燃性フッ素系溶剤とが、いずれも引火点がなく、不燃性である。そのため、それらの洗浄剤組成物及びそのエアゾール組成物使用環境における引火の危険性および火災時のリスクが低い。そして、この主要成分であるＨＦＯ系の不燃性フッ素系溶剤とＰＦＣ系の不燃性フッ素系溶剤は、いずれも消防法上の非危険物に該当することから、危険物倉庫が不要で、大量使用する洗浄剤組成物の保管量に法的な制限がない。また、上記各成分は、いずれも毒性が低く、オゾン層破壊などの環境負荷が小さいため、人体や環境に配慮された製品となる。その上、本発明の手段の洗浄剤組成物及びそのエアゾール組成物は、従来のブレーキクリーナーに遜色のない洗浄性を備えつつも、従来のブレーキクリーナーよりもゴムや樹脂に対するアタック性が極めて低いという、優れた特性を発揮するものとなっている。
【発明を実施するための形態】
【００３３】
本発明を実施するための最良の形態について、以下に表を参照して、本発明の手段の洗浄剤組成物およびそのエアゾール組成物について説明する。
【００３４】
＜主要成分について＞
本発明の手段の洗浄剤組成物およびそのエアゾール組成物の主要成分について説明する。本発明の手段の洗浄剤組成物およびそのエアゾール組成物には、ＨＦＯ系の不燃性フッ素系溶剤と、ＰＦＣ系の不燃性フッ素系溶剤との２成分を含有させるものとする。
【００３５】
上記ＨＦＯ系の不燃性フッ素系溶剤は、樹脂およびエラストマーの変質、失透または溶解などを生じさせる（非特許文献１）ため、樹脂およびエラストマーを用いたものの洗浄剤の成分として、そのまま用いることは好ましくない。また、上記ＰＦＣ系のフッ素系溶剤は、水や油に対する相溶性はほとんどない（非特許文献２）。
【００３６】
ところが、そのような洗浄剤組成物に配合する成分としては不適であるＨＦＯ系の不燃性フッ素系溶剤を、水や油に対する相溶性はほとんどないＰＦＣ系の不燃性フッ素系溶剤と共に含有させたものとすると、予想外にも、樹脂およびエラストマーに対する変質、失透、溶解などの影響を生じさせることがなくなるとともに、従来の洗浄剤組成物よりもより幅広く優れた洗浄特性を有する組成物となった。そこで、ＨＦＯ系の不燃性フッ素系溶剤とＰＦＣ系の不燃性フッ素系溶剤とを主要な成分として共に含有させたものとすることで、各種の安全性を保持しつつ、より幅広い種類の素材に対して利用できる優れた特性を備えた、新たな洗浄剤組成物およびそのエアゾール組成物の提供が可能となった。
【００３７】
＜ＨＦＯ系の不燃性フッ素系溶剤について＞
上述した本発明の手段の洗浄剤組成物およびそのエアゾール組成物には、必須となる２成分のうちの一方の成分として、ハイドロフルオロオレフィン系の溶剤であるＨＦＯ系の不燃性フッ素系溶剤を含有するものとする。ＨＦＯ系の不燃性フッ素系溶剤としては、（Ｚ）−１−クロロ−３，３，３−トリフルオロプロペン、１，１−ジクロロ−３，３，３−トリフルオロプロペン、１，２−ジクロロ−３，３，３−トリフルオロプロペン、２，３，３−トリクロロ−３−フルオロプロペン、ＡＭＯＬＥＡ（登録商標）  ＡＳ−３００などの不燃性の溶剤を用いることができる。これらＨＦＯ系の不燃性フッ素系溶剤は、市販されているものを入手するなどして利用することができる（（Ｚ）−１−クロロ−３，３，３−トリフルオロプロペン（１２３３Ｚ）（セントラル硝子株式会社，日本）、１，１−ジクロロ−３，３，３−トリフルオロプロペン（マトリクスサイエンティフィック、米国）、ＡＭＯＬＥＡ（登録商標）  ＡＳ−３００（ＡＧＣ株式会社、日本）など）。
【００３８】
上記のＨＦＯ系の不燃性フッ素系溶剤は、引火点がなく爆発限界試験方法ＡＳＴＭ  Ｅ６８１による燃焼範囲もない、不燃性の溶剤である。また、オゾン層破壊係数ＯＤＰが低く、もしくは実質的にゼロで地球温暖化係数ＧＷＰが＜１など、環境性に配慮された化学的性質を有している。そのため、オゾン層保護法、地球温暖化対策推進法、フロン排出抑制法、消防法、高圧ガス保安法などにおいて特定される成分には該当せず、その利用に特別な制限がかかるものではない。保管にあたり危険物倉庫が不要で、保管量に法的な制限がない。
【００３９】
その一方で、上記のＨＦＯ系の不燃性フッ素系溶剤は、樹脂に対する侵襲性を有している。そのため、上記のＨＦＯ系の不燃性フッ素系溶剤、例えば、（Ｚ）−１−クロロ−３，３，３−トリフルオロプロペンや１，１−ジクロロ−３，３，３−トリフルオロプロペンが軟質のポリ塩化ビニル（ＰＶＣ）樹脂やフェノール樹脂に作用すると該樹脂が変質し、樹脂製品の重量や寸法に変化が生じる。また、ポリカーボネートの樹脂に作用すると、該樹脂を白化・失透させてしまう。さらに、アクリル（ＰＭＭＡ）樹脂、アクリロニトリルとブタジエンとスチレンとの共重合合成樹脂であるＡＢＳ樹脂やポリスチレン樹脂に作用すると、それらの樹脂を軟化させたり溶解してしまうこととなる。このように、上記のＨＦＯ系の不燃性フッ素系溶剤は、樹脂材料との適合性が悪い。
【００４０】
また、上記のＨＦＯ系の不燃性フッ素系溶剤は、各種のエラストマーに対しても侵襲性を有している。そのため、ＨＦＯ系の不燃性フッ素系溶剤、例えば、（Ｚ）−１−クロロ−３，３，３−トリフルオロプロペンや１，１−ジクロロ−３，３，３−トリフルオロプロペンがＳＢＲ、クロロプレンゴム、ブチルゴム、ＥＰＤＭおよびＣＳＭに作用すると、それらエラストマーが変質して重量や寸法に変化が生じる。また、シリコーンゴム、天然ゴム、ＨＮＢＲ、ＮＢＲ、フッ素ゴムおよびウレタンゴムに作用すると、それらエラストマーが膨潤してしまう。このように、ＨＦＯ系の不燃性フッ素系溶剤は、そのままでは、エラストマーとの適合性が悪い。
【００４１】
しかし、上述したＨＦＯ系の不燃性フッ素系溶剤が有する樹脂適合性の悪さや乾燥性の高さといった自動車、二輪自動車、自転車、建機、農機、航空機、鉄道車両、船舶などの各種車両・乗物・輸送機関などに用いる洗浄剤組成物に不適切な特性は、予想外にも、洗浄剤組成物とするには不適切な水や油に対する相溶性はほとんどないという特性を有するＰＦＣ系の不燃性フッ素系溶剤を共に含有させることにより解消され、より優れた洗浄剤組成物が提供される。
【００４２】
＜ＰＦＣ系の不燃性フッ素系溶剤について＞
上述した本発明の手段の洗浄剤組成物およびそのエアゾール組成物は、必須となる２成分のうちの他方の成分として、ＰＦＣ系の不燃性フッ素系溶剤を１つ以上含有するものとする。このＰＦＣ系のフッ素系溶剤は、引火点がなく、燃焼点（下限）並びに燃焼点（上限）が共に非検出の、不燃性である。消防法上の非危険物に該当し、危険物倉庫が不要で、保管量に法的な制限がない。
【００４３】
その一方で、ＰＦＣ系の不燃性フッ素系溶剤は、水や油に対する相溶性はほとんどない（非特許文献２）。
【００４４】
しかし、このＰＦＣ系の不燃性フッ素系溶剤が有する水や油に対する相溶性はほとんどないという洗浄剤組成物に不適切な特性は、予想外にも、各種車両・乗物・輸送機関などに用いる洗浄剤組成物とするには不適切な他の特性を有するＨＦＯ系の不燃性フッ素系溶剤を共に含有させることにより解消され、より優れた洗浄剤組成物が提供される。
【００４５】
本発明の手段の洗浄剤組成物およびそのエアゾール組成物におけるＰＦＣ系の不燃性フッ素系溶剤としては、たとえば、フロリナートTMＦＣ−４０、およびフロリナートTMＦＣ−３２８３や、それらから選択される１つまたはそれ以上を用いるものとする。
【００４６】
ＰＦＣ系の不燃性フッ素系溶剤のフロリナートTMＦＣ−４０およびフロリナートTMＦＣ−３２８３は、スリーエム  ジャパン株式会社（日本）から市販されているものを入手し利用することができる。この溶剤は、引火点（ＴＣＣ，ＣＯＣ）がなく、燃焼範囲もない、不燃性の溶剤である。消防法上の非危険物に該当し、危険物倉庫が不要で、保管量に法的な制限がない。
【００４７】
＜ＨＦＯ系の不燃性フッ素系溶剤と、ＰＦＣ系の不燃性フッ素系溶剤との質量比について＞
本発明の手段の洗浄剤組成物およびそのエアゾール組成物においては、自動車、二輪自動車、自転車、建機、農機、航空機、鉄道車両、船舶などの各種車両・乗物・輸送機関の洗浄や、作業者の使用した工具、作業場、ピット、工場の洗浄に用いることを考慮すると、溶剤がそもそも不燃性であるという特性に加え、さらに、樹脂やエラストマーに対する侵襲性をより低くし、油脂類などへの相溶性をより高め、かつ、金属、樹脂及びエラストマーなどの様々な素材からなる部材に対するより優れた洗浄性と、適度な乾燥速度をもたらすものとなるよう、含有される二成分であるＨＦＯ系の不燃性フッ素系溶剤とＰＦＣ系の不燃性フッ素系溶剤との質量比の範囲を調節することが好ましい。
【００４８】
そして、樹脂やエラストマーに対するより低い侵襲性、より高い油脂類などへの相溶性、金属、樹脂及びエラストマーなどの様々な素材からなる部材に対する優れた洗浄性と適度な乾燥速度を有するといった優れた特性を複数あわせ持つようにするため、本発明の手段の洗浄剤組成物およびそのエアゾール組成物において含有される二成分であるＨＦＯ系の不燃性フッ素系溶剤とＰＦＣ系の不燃性フッ素系溶剤との質量比の範囲は、９９／１〜１／９９とする。洗浄対象となる油脂類の種類と、侵襲の抑止対象となる洗浄対象部位やその周辺部位において併用される樹脂及びエラストマーの種類とに合わせて、ＨＦＯ系の不燃性フッ素系溶剤とＰＦＣ系の不燃性フッ素系溶剤との質量比の範囲を、それぞれ調節した洗浄剤組成物およびそのエアゾール組成物を提供することができる。
【００４９】
例えば、本発明の手段の洗浄剤組成物およびそのエアゾール組成物において含有される二成分が、ＨＦＯ系の不燃性フッ素系溶剤が（Ｚ）−１−クロロ−３，３，３−トリフルオロプロペン、ＰＦＣ系の不燃性フッ素系溶剤がフロリナートTMＦＣ−４０またはフロリナートTMＦＣ−３２８３とである場合には、その質量比（ＨＦＯ系の不燃性フッ素系溶剤／ＰＦＣ系の不燃性フッ素系溶剤）の範囲は、９９／１〜１／９９とし、好ましくは９９／１〜１０／９０、より好ましくは９０／１０〜３０／７０とすることができるが、対象となる顧客の利用状況に適合したものとなるよう、溶解させようとする油脂の種類や、侵襲から防御すべき樹脂やエラストマーの種類に合わせ、また、コストのバランスを考慮しながら、上記質量比の範囲の中から好適なものを選択して用いても良い。それにより、樹脂やエラストマーに対するより低い侵襲性、より高い油脂類などへの相溶性、金属、樹脂及びエラストマーなどの様々な素材からなる部材に対する優れた洗浄性と適度な乾燥速度を有するといった優れた特性を複数あわせ持つようにすることが可能となり、洗浄剤組成物およびそのエアゾール組成物として好適に使用できるものとなる。
【００５０】
＜他の成分について＞
本発明の手段の洗浄剤組成物及びそのエアゾール組成物は、上述した洗浄剤組成物としての主要な２成分に加えて、さらに必要に応じて、引火の危険性や火災時のリスクを高めない程度において配合されたものとしてもよい。上記追加成分が配合されたものとする場合には、洗浄剤組成物としての不燃性または消防法における非危険物としての特性を保持しながらも、主要な２成分により達成される、ＨＦＯ系の不燃性フッ素系溶剤そのものが保持する樹脂やエラストマーに対する侵襲性を低減し、かつ、油脂成分に対する洗浄性と適度な乾燥速度を保持するという特性を保持できる範囲内において配合されたものとする。この配合される成分としては、アルコール類、飽和炭化水素、不飽和炭化水素、芳香族炭化水素、安定剤、キレート剤などを挙げることができ、例えば、３ＭTM  ＮＯＶＥＣTM７２００、３ＭTM  ＮＯＶＥＣTM７３００などのＨＦＥ系溶剤、メタノール、エタノール、イソプロピルアルコール、ブタノールなどのアルコール類、ノルマルヘキサン、シクロヘキサン、イソヘキサンなどの炭化水素系溶剤、アセトン、ＭＥＫ、シクロヘキサノンなどのケトン系溶剤、酢酸エチル、酢酸メチル、酢酸ブチル、エチレングリコールモノメチル エーテルアセテートなどのエステルおよびグリコールエステル系溶剤、メチルセロソルブ、ブチルセロソルブ、メトキシメチルブタノール、ヘキシルジグリコールなどのエーテル及びグリコールエーテル系溶剤、エチレングリコールジメチルエーテル、ジエチレングリコールジメチルエーテルなどのグライム系溶剤、ＨＣＦＣ−１４１ｂ、ＨＣＦＣ−２２５、１−ブロモプロパン、クロロホルムなどの塩素系溶剤、Ｎ−メチル−２−ピロリドン、テトラヒドロフラン、ジメチルホルムアミドなどの特殊溶剤、γ−ブチロラクトン、１，３−ジオキソラン、ジメチルスルホキシドなどのその他の溶剤が配合されたものとすることができる。
【００５１】
＜エアゾール組成物について＞
エアゾール組成物における噴射ガスとしては、液化ガスや圧縮ガスを使用することができる。例えば、ＬＰＧ（液化石油ガス）、ＤＭＥ（ジメチルエーテル）、炭酸ガス、フロン系ガス、（Ｅ）−１，３，３，３−テトラフルオロプロパ−１−エン、窒素ガス、アルゴンなどの希ガス、圧縮空気などのガスやＬＰＧとＤＭＥの混合物、ＬＰＧと炭酸ガスとの混合物などといった上記のガスを二種以上組み合わせたものをあげることが出来る。そして、本発明の手段の洗浄剤組成物と上記の噴射ガスを混合してエアゾール組成物とし、耐圧缶に充填して提供することが出来る。
【００５２】
＜使用方法について＞
本発明の手段の洗浄剤組成物の溶液は、洗浄対象となる自動車、二輪自動車、自転車、建機、農機、航空機、鉄道車両、船舶などの各種車両・乗物・輸送機関の金属、樹脂及びエラストマーなどの様々な素材からなる部材や、作業者の使用した工具、作業場、ピット、工場に塗布して用いたり、それらの洗浄対象を洗浄剤組成物の溶液に浸漬させて用いることができる。また、本発明の手段の洗浄剤組成物を噴射ガスとなる液化ガスと混合したエアゾール組成物を耐圧缶に充填してエアゾール化させ、または、本発明の手段の洗浄剤組成物をペール缶に入れ、使用する作業場に移動式小型充填機を設置し、圧縮空気によりペール缶に入れた洗浄剤組成物をエアゾール化させ、洗浄対象となる金属や樹脂及びエラストマーなどの様々な素材からなる部材に、エアゾールとして吹き付けて用いることができる。
【実施例】
【００５３】
以下に、本発明の洗浄剤組成物およびそのエアゾール組成物を製造し使用した例を、実施例及び試験例として示す。【００５４】
＜試験用サンプルについて＞
試験用サンプルを調製するため、本発明の洗浄剤組成物に用いる成分と、従来の洗浄剤とを、購入する。
本発明の洗浄剤組成物に用いる成分であるＨＦＯ系の不燃性フッ素系溶剤としては、（Ｚ）−１−クロロ−３，３，３−トリフルオロプロペンである１２３３Ｚ（セントラル硝子株式会社，日本）および１，１−ジクロロ−３，３，３−トリフルオロプロペン（マトリクスサイエンティフィック、米国）を購入した。さらに、ＡＧＣ株式会社（日本）よりＡＭＯＬＥＡ（登録商標）  ＡＳ−３００の供給を受けた。また、ＰＦＣ系の不燃性フッ素系溶剤としては、フロリナートTMＦＣ−４０（スリーエム  ジャパン株式会社，日本）またはフロリナートTMＦＣ−３２８３（スリーエム  ジャパン株式会社，日本）をそれぞれ購入した。【００５５】
また、従来の洗浄剤として、速乾原液としては、イソヘキサンを用いる、ブレーキ＆パーツクリーナー（速乾タイプ）（神戸合成株式会社，日本）を使用し、さらに、脱脂洗浄剤としては、シクロヘキサンを用いる、脱脂洗浄剤（株式会社ホンダアクセス，日本）を、常乾原液としては、イソパラフィン系溶剤の、ブレーキクリーナーＮ０４（スズキ株式会社，日本）を、また、トリクロロエタンを、それぞれ購入した。【００５６】
そして、上記ＨＦＯ系の不燃性フッ素系溶剤と上記各ＰＦＣ系の不燃性フッ素系溶剤との質量比が以下のものとなるようにして、本発明のＨＦＯ系の不燃性フッ素系溶剤とＰＦＣ系の不燃性フッ素系溶剤とを含有してなる洗浄剤組成物である実施例１〜実施例１２の洗浄剤組成物を、それぞれ製造した。【００５７】
＜ＨＦＯ系の不燃性フッ素系溶剤／ＰＦＣ系の不燃性フッ素系溶剤＞
・質量比（１２３３Ｚ／フロリナートTMＦＣ−４０）
実施例１：      ９０／１０
実施例２：      ８０／２０
実施例３：      ７０／３０
実施例４：      ５０／５０
実施例５：      ３０／７０
実施例６：      １０／９０
・質量比（１２３３Ｚ／フロリナートTMＦＣ−３２８３）
実施例７：      ９０／１０
実施例８：      ８０／２０
実施例９：      ７０／３０
実施例１０：    ５０／５０
実施例１１：    ３０／７０
実施例１２：    １０／９０【００５８】
また、以下の比較例１〜４を用意した。なお、速乾原液、脱脂洗浄剤、常乾原液は、いずれも燃焼性が高く、また、トリクロロエタンは有害性が高く、これらはいずれも洗浄用組成物としては問題のある特性を有している。
＜従来品（可燃性）＞
比較例１：      速乾原液
比較例２：      脱脂洗浄剤
比較例３：      常乾原液
比較例４：      トリクロロエタン【００５９】
さらに、ＨＦＯ系の不燃性フッ素系溶剤とＰＦＣ系の不燃性フッ素系溶剤の２成分を共に配合する各実施例のものと比較するため、以下の比較例５〜８を用意した。
＜ＨＦＯ系の不燃性フッ素系溶剤＞
比較例５：      １２３３Ｚのみ
比較例６：      １，１−ジクロロ−３，３，３−トリフルオロプロペンのみ
比較例９：      ＡＳ−３００のみ
＜ＰＦＣ系の不燃性フッ素系溶剤＞
比較例７：      フロリナートTMＦＣ−４０のみ
比較例８：      フロリナートTMＦＣ−３２８３のみ【００６０】
次に、以下に示す試験例１〜試験例３を実施し、本発明の手段の洗浄剤組成物及びそのエアゾール組成物が、従来の洗浄剤に比して優れた特性を有するものであることを、具体的に確認した。【００６１】
＜試験例１：侵襲性の評価（短期接触）＞
・材料および方法
試験溶液として、実施例１〜１２ならびに比較例１〜９の溶液を用意する。また、短期間の侵襲性を評価するため、次に示すテストピースを用意する。
樹脂：ＡＢＳ（アクリロニトリルブタジエンスチレン）
：ＰＣ（ポリカーボネート）
（いずれも、日本テストパネル株式会社）【００６２】
上記樹脂の各テストピース（サイズ１０ｍｍｘ１０ｍｍｘ２ｍｍに対し、実施例１〜１８または比較例１〜８の溶液を含ませたマイクロファイバークロスで表面の拭き取りを行う。その後、各テストピース表面の外観変化を目視および接触にて確認した。外観変化が無ければ○、変化があれば×とするとともに樹脂表面の状態を記録した。【００６３】
・試験結果
上記試験を実施した結果を表１−１〜表１−３に示す。【００６４】
【表１−１】
2019082999.tif 000002
【００６５】
【表１−２】
2019082999.tif 000003
【００６６】
【表１−３】
2019082999.tif 000004
【００６７】
本発明の手段の洗浄剤組成物に用いる主要成分の１つであるＨＦＯ系の不燃性フッ素系溶剤は、溶液を含ませたマイクロファイバークロスで表面の拭き取りを行うことによる短時間の接触だけでも、ＡＢＳやＰＣからなる樹脂を変質させてしまうものであることが確認された（表１−１）。ＡＢＳやＰＣは車両・乗物・輸送機関における重要部品に汎用されており、洗浄剤組成物としてのＨＦＯ系の不燃性フッ素系溶剤のみの処理では、重要部品の品質低下が懸念される。【００６８】
しかし、本発明の手段の洗浄剤組成物のように、洗浄剤組成物としてのＨＦＯ系の不燃性フッ素系溶剤に対して、水や油に対する相溶性はほとんどなく、かつ、上記重要部品の洗浄に適用することが不適な特性を有しているＰＦＣ系の不燃性フッ素系溶剤を少量でも配合したものとすることによって、驚くことに、上記重要部品に汎用される樹脂の変質は、生じなくなるものであることが明らかとなった（表１−２〜表１−３）。【００６９】
＜試験例２：グリスおよびオイルへの相溶性の評価＞
・材料および方法
試験例１と同様にして、試験溶液として、実施例１〜１２ならびに比較例１〜９の溶液を用意する。【００７０】
洗浄し除去する対象となる油脂類の一例として、次に示す、自動車等において汎用される各種グリス及びオイルを用意する。
グリス：ＧＲＥＡＳＥ（オレンジ）（神戸合成株式会社，日本）
：ラバー兼用ブレーキグリス（神戸合成株式会社，日本）
：ディスクブレーキ用グリス（神戸合成株式会社，日本）
：ブレーキグリス（神戸合成株式会社，日本）
：シリコングリス（神戸合成株式会社，日本）
：キャリパーピングリス（株式会社ホンダアクセス，日本）
：パッド＆シューグリス（株式会社ホンダアクセス，日本）
：ラバーグリス（株式会社ホンダアクセス，日本）
：ブレーキグリス（株式会社ホンダアクセス，日本）
オイル：エンジンオイル  Ｍｏｂｉｌ１  ０Ｗ−２０（エクソンモービル，米国）
：ブレーキフルード（ＤＯＴ３）（株式会社ホンダアクセス，日本）
：ブレーキフルード（ＤＯＴ４）（スズキ株式会社，日本）【００７１】
１０ｍＬバイアル瓶をそれぞれの溶液毎に用意し、上記グリスまたはエンジンオイルをそれぞれ１ｇ入れる。そのバイアル瓶に、さらに実施例または比較例の溶液を５ｍＬ加え、バイアル瓶の蓋を閉じる。各バイアル瓶を、超音波洗浄機（ＡＵ１６Ｃ、アイワ医科工業株式会社，日本）にて１時間超音波処理する。
１時間の超音波処理後に、超音波洗浄機から各バイアル瓶を取り出す。バイアル瓶の内部を確認し、グリスまたはエンジンオイルと、実施例または比較例の溶液とが、完全に混ざっていれば○、一部分離していれば△、完全に分離していれば×として、相溶性を評価する。なお、用いる溶液が少量となる場合には、使用量に比例した液量にて試験を行う。【００７２】
・試験結果
上記試験を実施した結果を表２−１〜表２−３に示す。【００７３】
【表２−１】
2019082999.tif 000005
【００７４】
【表２−２】
2019082999.tif 000006
【００７５】
【表２−３】
2019082999.tif 000007
【００７６】
各種のＰＦＣ系の不燃性フッ素系溶剤は、グリスまたはブレーキオイルにほとんど相溶性を有しないため（表３−１の比較例７〜比較例８）、グリスまたはブレーキオイルなどの油脂成分による汚れを除去するための洗浄剤とするには不適である。また、ＨＦＯ系の不燃性フッ素系溶剤は相溶性を適度に有するものの、試験例１の試験結果でも明らかなように樹脂やエラストマーへの侵襲性を有することから各種車両・乗物・輸送機関などに用いる洗浄剤組成物には不適である。このように、各種のＨＦＯ系の不燃性フッ素系溶剤ならびにＰＦＣ系の不燃性フッ素系溶剤は、ともに各種車両・乗物・輸送機関などに用いる洗浄剤組成物に加える動機付けを欠くものである。【００７７】
ところが、上記のような車両・乗物・輸送機関の洗浄に用いえないＨＦＯ系の不燃性フッ素系溶剤とＰＦＣ系の不燃性フッ素系溶剤とを共に含有させたものとしても、グリスまたはブレーキオイルなどの油脂成分に対する幅広い相溶性を示すこと、すなわち、それら油脂成分に対して高い洗浄性を発揮するものとなることが確認された（表２−２〜表２−３）。また、相溶性を示すＨＦＯ系の不燃性フッ素系溶剤とＰＦＣ系の不燃性フッ素系溶剤の質量比の範囲も幅広いものであった（表２−２〜表２−３）。【００７８】
このことから、本発明の手段のように、洗浄剤組成物およびそのエアゾール組成物をＨＦＯ系の不燃性フッ素系溶剤とＰＦＣ系の不燃性フッ素系溶剤とを含有するものとすることにより、洗浄対象となる油脂類の種類と、侵襲の抑止対象となる洗浄対象部位やその周辺部位において併用される樹脂及びエラストマーの種類とに合わせて、ＨＦＯ系の不燃性フッ素系溶剤とＰＦＣ系の不燃性フッ素系溶剤との質量比の範囲を調節して、洗浄剤組成物を用いるシーンに適した特性の洗浄剤組成物およびそのエアゾール組成物を提供することが可能であることが理解される。【００７９】
さらには、ＨＦＯ系の不燃性フッ素系溶剤において相溶性が劣る場合のあるブレーキグリスについては、それを含む各種の油脂類に相溶性をほぼ有していないＰＦＣ系の不燃性フッ素系溶剤を配合することにより、相溶性が発揮されるものとなることも明らかとなった（表２−２〜表２−３）。【００８０】
このように、洗浄用組成物において、本願発明のようにＨＦＯ系の不燃性フッ素系溶剤とＰＦＣ系の不燃性フッ素系溶剤とを含有させることにより、グリスまたはブレーキオイルに対して幅広く相溶性を発揮するようになり、不燃性および低毒性でありながら、従来のブレーキクリーナーと同等以上の優れた洗浄特性を有する新たな洗浄剤組成物が提供できるようになることが理解される。【００８１】
＜試験例３：侵襲性の評価（長期接触）＞
・材料および方法
試験例１と同様にして、試験溶液として、実施例１〜１２ならびに比較例１〜９の溶液を用意する。
また、侵襲性を評価するため、次に示すテストピースを用意する。
ゴム：ＮＲ（天然ゴム）
：ＣＲ（クロロプレンゴム）
：ＳＢＲ（スチレン・ブタジエンゴム）
：ＥＰＤＭ（エチレンプロピレンゴム）
（いずれも、株式会社スタンダードテストピース，日本より入手。）
樹脂：ＡＢＳ（アクリロニトリルブタジエンスチレン）
：ＬＤＰＥ（低密度ポリエチレン）
：ＰＣ（ポリカーボネート）
（いずれも、日本テストパネル株式会社）【００８２】
上記のゴムまたは樹脂の各テストピース（サイズ１０ｍｍｘ１０ｍｍｘ２ｍｍ）の重量を測定する。
次に、バイアル瓶に、実施例または比較例の溶液を２０ｍＬを入れ、その中に、上記のゴムまたは樹脂の各テストピース（サイズ１０ｍｍｘ１０ｍｍｘ２ｍｍ）を浸漬させ、そのバイアル瓶を、４５℃に設定した恒温恒湿機（ＨＰＡＶ−１２０−４０，株式会社いすゞ製作所，日本）に入れ、１ヶ月間静置する。
バイアル瓶から各テストピースを取り出し、表面状態を観察した後、テストピースの重量および厚みを測定し、膨潤度を算出し、±５．０％の範囲内に収まるか否か確認するとともに、ＰＣの透明度が失われないかについても確認する。
用いる溶液が少量となる場合には、使用量に比例したテストピースの大きさおよび液量にて試験を行う。【００８３】
・試験結果
上記試験を実施した結果を表３−１〜表３−３に示す。【００８４】
【表３−１】
2019082999.tif 000008
【００８５】
【表３−２】
2019082999.tif 000009
【００８６】
【表３−３】
2019082999.tif 000010
【００８７】
試験例３では、ＨＦＯ系の不燃性フッ素系溶剤を長期に接触させる際に生じるゴムまたは樹脂に対する侵襲性が、ＨＦＯ系の不燃性フッ素系溶剤にＰＦＣ系の不燃性フッ素系溶剤を含有させた洗浄剤組成物とすることにより改善したものが得られること、および、ゴムまたは樹脂に対する非侵襲性に関する従来の洗浄剤との比較検証を行った。【００８８】
ＨＦＯ系の不燃性フッ素系溶剤は、長期間に作用させた際にゴムや樹脂に対して侵襲性を有し、特に、各種車両・乗物・輸送機関などにおいて安全性を確保するために重要な装置および部品において汎用される、ＮＲ（天然ゴム）、ＳＢＲ（スチレン・ブタジエンゴム）、ＥＰＤＭ（エチレンプロピレンゴム）を膨潤させ、ＡＢＳ（アクリロニトリルブタジエンスチレン）を溶解・軟化させ、ＰＣ（ポリカーボネート）を膨潤、白化・失透させ、かつ、ひび割れさせるなど強い侵襲性を示し、それらゴムや樹脂の変質の程度は、いずれも製品としての品質が担保できなくなるものであった（表３−１）。【００８９】
また、従来の洗浄剤は、そもそも可燃性であるとともに、ＮＲ、ＣＲ、ＳＢＲ、ＥＰＤＭのようなゴムやＡＢＳ、ＬＤＰＥ（低密度ポリエチレン）、ＰＣのような樹脂に対して作用させると、強い侵襲性示し、同様に製品としての品質が担保できなくなるものであった（表３−１）。【００９０】
ところが、ＨＦＯ系の不燃性フッ素系溶剤に対して、ＰＦＣ系の不燃性フッ素系溶剤を配合することより、驚くことに、上記のＨＦＯ系の不燃性フッ素系溶剤を使用した際に観察されていた各種ゴムや樹脂の膨潤、溶解、白化、失透、ひび割れの現象を消失させることが可能となることが明らかとなった（表３−２〜表３−３）。【００９１】
各種車両・乗物・輸送機関の安全性を確保するために重要な装置および部品に汎用される各種のゴムや樹脂への侵襲性を示さないという新たな特性を有する洗浄剤組成物を作ることができる本発明は、侵襲性を有する従来の洗浄剤を置き換えるのに大変有効な手段を提供するものであることが理解される。また、本発明の手段の洗浄剤組成物は、長期に使用し続けても、ゴムや樹脂に対する侵襲性が生じる懸念が大変少ないものであることが理解される。【００９２】
また、ＨＦＯ系の不燃性フッ素系溶剤は製造可能な量に限りがあるところ、本発明の手段の洗浄剤組成物は、ＨＦＯ系の不燃性フッ素系溶剤とＰＦＣ系の不燃性フッ素系溶剤とを混合して製造されることから、洗浄剤組成物としての供給可能量を増加させ、製品供給の滞りを防ぐ効果も有することが理解される。【００９３】
上記ゴムのうち、ＳＢＲ（スチレン・ブタジエンゴム）は、自動車のブレーキ液系のシール用やタイヤなどにも使用されているため、ブレーキ装置やその周辺の洗浄に用いる洗浄剤においてはＳＢＲに対する浸食性が低いことが望まれる。また、ＰＣ（ポリカーボネート）もブレーキ装置など制御系機構において用いられる。ところが、本発明のように、ＨＦＯ系の不燃性フッ素系溶剤に対して、ＰＦＣ系の不燃性フッ素系溶剤を配合することより、驚くことに、ＳＢＲやＰＣに対する浸食性の問題をも十分に減じ、それらの膨潤率を製品の品質が一定程度保持できる５％以下にまでに抑え込むことができた。
【産業上の利用可能性】
【００９４】
ＨＦＯ系の不燃性フッ素系溶剤とＰＦＣ系の不燃性フッ素系溶剤とを洗浄剤組成物に含有させたことで、不燃性であるため、引火の危険性や火災時のリスクが低く、消防法上の非危険物に該当し、危険物倉庫が不要で、大量使用する洗浄剤組成物の保管量に法的な制限がなく、さらに、毒性が低く、オゾン層破壊などの環境負荷が小さいという特性と、従来のブレーキクリーナー用洗浄剤組成物と同等以上の洗浄性を有しつつも、ゴムや樹脂に対するアタック性が極めて低いという優れた特性を付与した、新たな洗浄剤組成物及びそのエアゾール組成物を提供することが可能となる。
【国際調査報告】
2019082999.tif 000011
2019082999.tif 000012
2019082999.tif 000013